(57)【要約】【課題】携帯電話機に登録された日時の到来に応じて、帯電話機に代わって利用者へアラーム通知を行う。【解決手段】通信装置１０において、通信回線５０を介して携帯電話機６から、当該携帯電話機６で登録されたアラームの日時情報を含む電子メールを受信した場合、アラーム管理手段１５Ｃにより、当該電子メールの日時情報に応じたアラーム設定を記憶部１４へ登録し、アラーム通知手段１５Ｅにより、これらアラーム設定の日時到来に応じて所定のアラーム通知を行う。【選択図】  図１
2007180969.tif 000002
【特許請求の範囲】
【請求項１】
各種情報を処理する情報処理手段と、通信回線を介して携帯電話機からの電子メールを受信するメール通信手段とを有する通信装置であって、
前記メール通信手段により、前記携帯電話機で登録されたアラームの日時情報を含む電子メールを受信した場合、当該電子メールの日時情報に応じたアラーム設定を記憶部へ登録するアラーム管理手段と、
前記記憶部に登録されているアラーム設定情報の日時到来に応じて所定のアラーム通知を行うアラーム通知手段と
を備えることを特徴とする通信装置。
【請求項２】
請求項１に記載の通信装置において、
前記アラーム管理手段は、利用者のアラーム登録操作に基づいて当該アラームの日時情報に応じたアラーム設定を前記記憶部へ登録するとともに、当該日時情報を含むアラーム登録通知用の電子メールを生成し、
前記メール通信手段は、前記アラーム管理手段で生成されたアラーム登録通知用電子メールを、前記通信回線を介して前記携帯電話機宛に送信する
ことを特徴とする通信装置。
【請求項３】
請求項１に記載の通信装置において、
当該通信装置は、複数の電話端末と、内線伝送路を介して収容した前記電話端末を１つ以上の通話回線へ交換接続することにより前記通話回線を用いた前記電話端末での通話を制御する電話制御装置とを有する電話システムからなり、
前記アラーム管理手段は、前記アラーム設定を登録する際、当該電子メールに含まれる識別情報と関連付けて前記アラーム設定を登録し、
前記アラーム通知手段は、前記アラーム通知の際、当該アラーム設定に関連付けられている識別情報に対応する電話端末で前記アラーム通知を行う
ことを特徴とする通信装置。
【請求項４】
請求項３に記載の通信装置において、
前記アラーム管理手段は、利用者のアラーム登録操作に基づいて当該アラームの日時情報に応じたアラーム設定を、前記アラーム登録操作で指定された識別情報に関連付けて前記記憶部へ登録するとともに、当該日時情報を含むアラーム登録通知用の電子メールを生成し、
前記メール通信手段は、前記アラーム管理手段で生成されたアラーム登録通知用電子メールを、前記通信回線を介して前記識別情報に対応する前記携帯電話機宛に送信する
ことを特徴とする通信装置。
【請求項５】
各種情報を処理する情報処理手段と、通信回線を介して携帯電話機からの電子メールを受信するメール通信手段とを有する通信装置のコンピュータに、
前記メール通信手段により、前記携帯電話機で登録されたアラームの日時情報を含む電子メールを受信した場合、当該電子メールの日時情報に応じたアラーム設定を記憶部へ登録するアラーム管理ステップと、
前記記憶部に登録されているアラーム設定情報の日時到来に応じて所定のアラーム通知を行うアラーム通知ステップと
を実行させるプログラム。
【請求項６】
請求項５に記載のプログラムにおいて、
前記アラーム管理ステップは、利用者のアラーム登録操作に基づいて当該アラームの日時情報に応じたアラーム設定を前記記憶部へ登録するとともに、当該日時情報を含むアラーム登録通知用の電子メールを生成し、前記メール通信手段により、前記アラーム管理手段で生成されたアラーム登録通知用電子メールを、前記通信回線を介して前記携帯電話機宛に送信することを特徴とするプログラム。
【請求項７】
請求項５に記載のプログラムにおいて、
当該通信装置は、複数の電話端末と、内線伝送路を介して収容した前記電話端末を１つ以上の通話回線へ交換接続することにより前記通話回線を用いた前記電話端末での通話を制御する電話制御装置とを有する電話システムからなり、
前記アラーム管理ステップは、前記アラーム設定を登録する際、当該電子メールに含まれる識別情報と関連付けて前記アラーム設定を登録し、前記アラーム通知手段により、前記アラーム通知の際、当該アラーム設定に関連付けられている識別情報に対応する電話端末で前記アラーム通知を行う
ことを特徴とするプログラム。
【請求項８】
請求項７に記載のプログラムにおいて、
前記アラーム管理ステップは、利用者のアラーム登録操作に基づいて当該アラームの日時情報に応じたアラーム設定を、前記アラーム登録操作で指定された識別情報に関連付けて前記記憶部へ登録するとともに、当該日時情報を含むアラーム登録通知用の電子メールを生成し、前記メール通信手段により、前記アラーム管理手段で生成されたアラーム登録通知用電子メールを、前記通信回線を介して前記識別情報に対応する前記携帯電話機宛に送信することを特徴とするプログラム。
【発明の詳細な説明】
【技術分野】
【０００１】
本発明は、スケジュール管理技術に関し、特に予め登録した日時の到来を利用者へアラーム通知を行うアラーム通知技術に関する。
【背景技術】
【０００２】
従来、予め登録した日時の到来を利用者へアラーム通知を行うアラーム機能を有する携帯電話機が提案されている（例えば、特許文献１など参照）。この種のアラーム機能は、利用者が携帯電話機を操作して、記憶部にアラームやスケジュールの日時情報を登録しておき、携帯電話機の計時部で当該日時が到来した時点で、所定のアラーム音、ＬＥＤ表示、あるいはバイブレータを用いたアラーム表示により、携帯電話機が利用者に登録日時の到来を通知する機能である。
【０００３】
【特許文献１】特開２００３−０６６１７２号公報
【発明の開示】
【発明が解決しようとする課題】
【０００４】
しかしながら、このような従来技術では、携帯電話機という１つの端末装置内で実行される機能であるため、利用者が携帯電話機を使用できない場所や状況に居る場合、利用者は携帯電話機からアラーム通知を受け取ることができないという問題点があった。
例えば、利用者が職場で仕事をしている場合、携帯電話機を持ち歩かないケースや、携帯電話機を電源オフの状態にしているケースが多く、このような場合、利用者は携帯電話機からのアラーム通知を受け取ることができず、指定時刻になったことに気づかないこともあった。
本発明はこのような課題を解決するためのものであり、携帯電話機に登録された日時の到来に応じて、携帯電話機に代わって利用者へアラーム通知を行うことができる通信装置およびプログラムを提供することを目的としている。
【課題を解決するための手段】
【０００５】
このような目的を達成するために、本発明にかかる通信装置は、各種情報を処理する情報処理手段と、通信回線を介して携帯電話機からの電子メールを受信するメール通信手段とを有する通信装置であって、メール通信手段により、携帯電話機で登録されたアラームの日時情報を含む電子メールを受信した場合、当該電子メールの日時情報に応じたアラーム設定を記憶部へ登録するアラーム管理手段と、記憶部に登録されているアラーム設定情報の日時到来に応じて所定のアラーム通知を行うアラーム通知手段とを備えている。
【０００６】
この際、アラーム管理手段で、利用者のアラーム登録操作に基づいて当該アラームの日時情報に応じたアラーム設定を記憶部へ登録するとともに、当該日時情報を含むアラーム登録通知用の電子メールを生成し、メール通信手段で、アラーム管理手段で生成されたアラーム登録通知用電子メールを、通信回線を介して携帯電話機宛に送信するようにしてもよい。
【０００７】
また、当該通信装置を、複数の電話端末と、内線伝送路を介して収容した電話端末を１つ以上の通話回線へ交換接続することにより通話回線を用いた電話端末での通話を制御する電話制御装置とを有する電話システムから構成し、アラーム管理手段で、アラーム設定を登録する際、当該電子メールに含まれる識別情報と関連付けてアラーム設定を登録し、アラーム通知手段で、アラーム通知の際、当該アラーム設定に関連付けられている識別情報に対応する電話端末でアラーム通知を行うようにしてもよい。
【０００８】
この際、アラーム管理手段で、利用者のアラーム登録操作に基づいて当該アラームの日時情報に応じたアラーム設定を、アラーム登録操作で指定された識別情報に関連付けて記憶部へ登録するとともに、当該日時情報を含むアラーム登録通知用の電子メールを生成し、メール通信手段で、アラーム管理手段で生成されたアラーム登録通知用電子メールを、通信回線を介して識別情報に対応する携帯電話機宛に送信するようにしてもよい。
【０００９】
また、本発明にかかるプログラムは、各種情報を処理する情報処理手段と、通信回線を介して携帯電話機からの電子メールを受信するメール通信手段とを有する通信装置のコンピュータに、メール通信手段により、携帯電話機で登録されたアラームの日時情報を含む電子メールを受信した場合、当該電子メールの日時情報に応じたアラーム設定を記憶部へ登録するアラーム管理ステップと、記憶部に登録されているアラーム設定情報の日時到来に応じて所定のアラーム通知を行うアラーム通知ステップとを実行させる。
【００１０】
この際、アラーム管理ステップで、利用者のアラーム登録操作に基づいて当該アラームの日時情報に応じたアラーム設定を記憶部へ登録するとともに、当該日時情報を含むアラーム登録通知用の電子メールを生成し、メール通信手段により、アラーム管理手段で生成されたアラーム登録通知用電子メールを、通信回線を介して携帯電話機宛に送信するようにしてもよい。
【００１１】
また、当該通信装置を、複数の電話端末と、内線伝送路を介して収容した電話端末を１つ以上の通話回線へ交換接続することにより通話回線を用いた電話端末での通話を制御する電話制御装置とを有する電話システムから構成し、アラーム管理ステップで、アラーム設定を登録する際、当該電子メールに含まれる識別情報と関連付けてアラーム設定を登録し、アラーム通知手段により、アラーム通知の際、当該アラーム設定に関連付けられている識別情報に対応する電話端末でアラーム通知を行うようにしてもよい。
【００１２】
この際、アラーム管理ステップで、利用者のアラーム登録操作に基づいて当該アラームの日時情報に応じたアラーム設定を、アラーム登録操作で指定された識別情報に関連付けて記憶部へ登録するとともに、当該日時情報を含むアラーム登録通知用の電子メールを生成し、メール通信手段により、アラーム管理手段で生成されたアラーム登録通知用電子メールを、通信回線を介して識別情報に対応する携帯電話機宛に送信するようにしてもよい。
【発明の効果】
【００１３】
本発明によれば、通信回線を介して携帯電話機から、当該携帯電話機で登録されたアラームの日時情報を含む電子メールを受信した場合、アラーム管理手段により、当該電子メールの日時情報に応じたアラーム設定を記憶部へ登録し、アラーム通知手段により、これらアラーム設定の日時到来に応じて所定のアラーム通知を行うようにしたので、携帯電話機に登録された日時の到来に応じて、携帯電話機に代わって通信装置から利用者へアラーム通知を行うことができる。
これにより、利用者が携帯電話機を使用できない場所や状況に居る場合でも、携帯電話機に登録したアラーム設定に応じたアラーム通知を通信装置から受け取ることができる。
【発明を実施するための最良の形態】
【００１４】
次に、本発明の実施の形態について図面を参照して説明する。
［第１の実施の形態］
まず、図１を参照して、本発明の第１の実施の形態にかかる通信装置について説明する。図１は、本発明の第１の実施の形態にかかる通信装置の構成を示すブロック図である。
この通信装置１０は、各種情報を処理する情報処理手段と、通信回線を介して携帯電話機からの電子メールを受信するメール通信手段とを有し、無線回線６０を介して通信網５に接続される携帯電話機６と、通信網５および通信回線５０を介して電子メールを送受信する装置である。
【００１５】
本実施の形態は、通信装置１０において、携帯電話機６で登録されたアラームの日時情報を含む電子メールを当該携帯電話機６から受信した場合、その電子メールの日時情報に応じたアラーム設定を記憶部へ登録し、この記憶部に登録されているアラーム設定情報の日時到来に応じて所定のアラーム通知を行うようにしたものである。
【００１６】
以下では、本実施の形態にかかる通信装置１０が、複数の電話端末２と、内線伝送路３を介して収容した電話端末２を１つ以上の電話回線４０へ交換接続することにより、電話回線４０を用いた電話端末２での通話を制御する電話制御装置１とを有する、ボタン電話装置などの電話システムからなる場合を例として説明する。
【００１７】
電話制御装置１は、ボタン電話装置における主装置に相当し、主な機能部として、回線インターフェース部（以下、回線Ｉ／Ｆ部という）１１、内線インターフェース部（以下、内線Ｉ／Ｆ部という）１２、スイッチ部１３、記憶部１４、および制御部１５を備えている。
【００１８】
回線Ｉ／Ｆ部１１は、電話回線４０や通信回線５０を接続する専用の通信回路部からなり、所定のプロトコルに基づき電話回線４０を終端制御することにより、着信検出、発信、通話などの回線制御を行う機能と、所定のプロトコルに基づき通信回線５０を終端制御することにより、電子メールの送受信などに用いられる各種パケットを送受信する機能とを有している。電話網４としては、公衆電話網（ＰＳＴＮ）やＩＳＤＮなどの電話網が用いられ、電話回線４０としては、アナログ回線やＩＳＤＮ回線が用いられる。また通信網５としては、インターネットなどのパケット網が用いられ、通信回線５０としては、ＡＤＳＬ、ＦＴＴＨ、ケーブルＴＶなどのアクセス回線が用いられる。なお、電話網４としてＩＰ電話網を用いる場合、通信網５で電話網４を兼用してもよい。
【００１９】
内線Ｉ／Ｆ部１２は、内線伝送路３を介して電話端末２とデータ伝送を行う回路部からなり、電話端末２との間で制御コマンドや音声データなどの各種データをやり取りする機能を有している。
スイッチ部１３は、回線Ｉ／Ｆ部１１と内線Ｉ／Ｆ部１２との間の通話パスを切り替える回路部からなり、制御部１５からの指示に基づき通話パスの切替を行うことにより、電話端末２と電話回線４０とを任意に交換接続する機能を有している。
【００２０】
記憶部１４は、メモリやハードディスクなどの記憶装置からなり、制御部１５での呼制御処理やアラーム管理処理に用いる各種処理情報やプログラム１４Ｐを記憶する機能を有している。
プログラム１４Ｐは、当該電話制御装置１の製造時に外部装置から記憶部１４へ書き込まれ、あるいは回線Ｉ／Ｆ部１１など電話制御装置１に設けられた入出力インターフェースを介して外部装置や記録媒体から記憶部１４へ書き込まれる。
【００２１】
記憶部１４で記憶する主な処理情報としては、呼制御情報１４Ａ、アラーム設定情報１４Ｂ、および利用者情報１４Ｃがある。呼制御情報１４Ａは、電話回線４０、通信回線５０、電話端末２の状態を示す状態情報や、各種設定内容を示す設定情報から構成されており、制御部１５により参照され必要に応じて更新される。
アラーム設定情報１４Ｂは、任意の日時にアラーム通知を行うための情報である。図２は、アラーム設定情報の構成例である。このアラーム設定情報１４Ｂは、個々のアラーム設定ごとに設けられた複数のエントリからなり、各エントリは、利用者や携帯電話機６に固有の識別情報、アラーム通知を行う日時を示すアラーム日時情報、アラームに関するスケジュールを示すスケジュール内容、および当該アラームの通知状態の組から構成されている。
【００２２】
利用者情報１４Ｃは、アラーム設定情報で用いる識別情報と利用者が利用する電話端末２との対応関係を示す情報である。図３は、利用者情報の構成例である。この利用者情報１４Ｃは、識別情報ごとに設けられた複数のエントリからなり、各エントリは、利用者や携帯電話機６に固有の識別情報と、当該利用者が利用する電話端末２の内線番号との組から構成されている。
【００２３】
制御部（情報処理手段）１５は、ＣＰＵなどのマイクロプロセッサとその周辺回路を有し、記憶部１４のプログラム１４Ｐを読み込んで実行することにより、上記ハードウェアとプログラム１４Ｐとを協働させて各種機能手段を実現する機能部である。
制御部１５で実現される主な機能手段としては、呼制御手段１５Ａ、メール通信手段１５Ｂ、アラーム管理手段１５Ｃ、計時手段１５Ｄ、およびアラーム通知手段１５Ｅがある。
【００２４】
呼制御手段１５Ａは、回線Ｉ／Ｆ部１１および電話回線４０を介して電話網４さらには相手電話機（図示せず）と各種データをやり取りすることにより電話回線４０を用いた通話路の接続や切断を行う機能と、内線Ｉ／Ｆ部１２および内線伝送路３を介して電話端末２と各種制御コマンドや操作情報をやり取りすることにより電話端末２の制御を行う機能と、スイッチ部１３を制御して回線Ｉ／Ｆ部１１と内線Ｉ／Ｆ部１２との間の通話パスを切り替えることにより、電話端末２と電話回線４０を任意に交換接続する機能とを有している。
【００２５】
メール通信手段１５Ｂは、回線Ｉ／Ｆ部１１および通信回線５０を介して通信網５のメールサーバ（図示せず）と各種データをやり取りすることにより、携帯電話機６との間でアラーム管理用メールなどの任意の電子メールを送受信する機能を有している。図４は、アラーム管理用メールの構成例である。この電子メールは、そのメール本文に、当該携帯電話機６またはその利用者の識別情報、アラーム日時、アラーム管理の指示内容を示すコマンド、およびスケジュール内容が記載されている。
【００２６】
アラーム管理手段１５Ｃは、メール通信手段１５Ｂで受信した携帯電話機６からのアラーム管理用メールや、内線Ｉ／Ｆ部１２を介して電話端末２から受信した各種アラーム操作に基づき、記憶部１４のアラーム設定情報を更新して、任意のアラーム日時におけるアラームの登録、解除、確認を行う機能を有している。
計時手段１５Ｄは、現在日時を計時する機能を有している。
【００２７】
アラーム通知手段１５Ｅは、計時手段１５Ｄで計時された現在日時と一致するエントリを記憶部１４のアラーム設定情報１４Ｂから取得する機能と、得られたエントリの識別情報と一致する内線番号を記憶部１４の利用者情報１４Ｃから取得する機能と、得られた内線番号の電話端末２に対して内線Ｉ／Ｆ部１２を介してアラーム通知を指示する機能と、アラーム通知指示後に当該エントリのアラーム通知状態が確認状態となった場合は当該電話端末２に対してアラーム停止を指示する機能とを有している。図５は、アラーム通知の表示画面例である。アラーム通知手段１５Ｅからアラーム通知の指示を受けた電話端末２３では、図５に示す画面表示を行うことにより利用者に対してアラーム通知を行う。この例では、アラーム日時やスケジュール内容が画面表示部で表示されている。
【００２８】
［第１の実施の形態の動作］
次に、図６および図７を参照して、本発明の第１の実施の形態にかかる通信装置の動作について説明する。図６は、本発明の第１の実施の形態にかかる通信装置でのアラーム管理処理を示すフローチャートである。図７は、本発明の第１の実施の形態にかかる通信装置でのアラーム通知処理を示すフローチャートである。
【００２９】
まず、図６を参照して、本発明の第１の実施の形態にかかる通信装置１０、ここでは電話システムでのアラーム管理処理について説明する。
電話制御装置１の制御部１５は、メール通信手段１５Ｂにより、定期的に通信網５のメールサーバへアクセスし、あるいはメールサーバからの通知に応じて、携帯電話機６からの電子メールを確認し、当該電話制御装置１宛の電子メールを受信する。次に、制御部１５は、受信した電子メールのフォーマットに基づき当該電子メールがアラーム管理用メールであった場合、アラーム管理手段１５Ｃにより、図６のアラーム管理処理を実行する。
【００３０】
アラーム管理手段１５Ｃは、メール通信手段１５Ｂにより受信したアラーム管理用メールを参照して、識別情報、アラーム日時情報、コマンド、およびスケジュール内容を取得し（ステップ１００）、当該コマンドの内容を確認する（ステップ１０１）。
【００３１】
ここで、当該コマンドが「アラーム登録」を示す場合（ステップ１０１：登録）、アラーム管理用メールから取得した、識別情報、アラーム日時情報、およびスケジュール内容の組からなるエントリを記憶部１４のアラーム設定情報１４Ｂへ登録するとともに（ステップ１０２）、当該エントリのアラーム通知状態を「待機中」に設定し（ステップ１０３）、一連のアラーム管理処理を終了する。これにより、携帯電話機６からの電子メールに応じて新たなアラーム設定が登録される。
【００３２】
一方、当該コマンドが「アラーム解除」を示す場合（ステップ１０１：解除）、アラーム管理用メールから取得した、識別情報およびアラーム日時情報と一致するエントリを、記憶部１４のアラーム設定情報１４Ｂから検索し（ステップ１０４）、得られたエントリをアラーム設定情報１４Ｂから削除し（ステップ１０５）、一連のアラーム管理処理を終了する。これにより、携帯電話機６からの電子メールに応じて登録済のアラーム設定が解除される。
【００３３】
また、当該コマンドが「アラーム確認」を示す場合（ステップ１０１：確認）、アラーム管理用メールから取得した、識別情報およびアラーム日時情報と一致するエントリを、記憶部１４のアラーム設定情報１４Ｂから検索し（ステップ１０６）、得られたエントリのアラーム通知情報を「確認済」に設定する（ステップ１０７）。次に、その識別情報に対応する内線番号を記憶部１４の利用者情報１４Ｃから検索し、その内線番号の電話端末２に対してアラーム停止指示を内線Ｉ／Ｆ部１２から送信し（ステップ１０８）、一連のアラーム管理処理を終了する。これにより、携帯電話機６からの電子メールに応じて通知中のアラーム設定が確認されたことになる。
【００３４】
次に、図７を参照して、本発明の第１の実施の形態にかかる通信装置、ここでは電話システム１０でのアラーム通知処理について説明する。
電話制御装置１の制御部１５は、計時手段１５Ｄにより、常時現在日時を計時するとともに、アラーム通知手段１５Ｅにより、アラーム日時の到来を監視してアラーム通知するため、計時手段１５Ｄから取得した現在日時の時分が更新されるごとに、図７のアラーム通知処理を実行している。
【００３５】
アラーム通知手段１５Ｅは、計時手段１５Ｄから取得した現在日時と一致するアラーム日時情報を持つエントリを記憶部１４のアラーム設定情報１４Ｂから検索する（ステップ１１０）。
ここで、一致するエントリが検索された場合（ステップ１１１：ＹＥＳ）、当該エントリのアラーム通知状態が「待機中」かどうか確認し（ステップ１１２）、「待機中」でない場合は（ステップ１１２：ＮＯ）、ステップ１１０へ戻って他のエントリを検索する。
【００３６】
一方、当該エントリのアラーム通知状態が「待機中」の場合（ステップ１１２：ＹＥＳ）、当該エントリの識別情報と対応する内線番号を記憶部１４の利用者情報１４Ｃから検索し（ステップ１１３）、当該内線番号の電話端末２に対して、アラーム日時情報およびスケジュール内容を含むアラーム通知指示を内線Ｉ／Ｆ部１２から送信し（ステップ１１４）、ステップ１１０へ戻って他のエントリを検索する。
【００３７】
また、ステップ１１１において、現在日時と一致するアラーム日時情報を持つエントリが検索されなかった場合、一連のアラーム通知処理を終了する。
これにより、記憶部１４のアラーム設定情報１４Ｂに登録されている各エントリについて、そのアラーム日時の到来に応じて、当該識別情報に対応する電話端末２から利用者に対してアラーム通知が行われる。
【００３８】
次に、図８を参照して、本実施の形態にかかる通信装置の全体的な動作について説明する。図８は、本発明の第１の実施の形態にかかる通信装置の動作（アラームの登録、解除、通知）を示すシーケンス図である。
ここでは、通信装置１０が電話システムからなり、携帯電話機６でのアラーム操作に応じて送信された電子メールに基づき電話制御装置１でアラーム管理処理を行い、アラーム日時到来に応じて対応する電話端末２でアラーム通知を行う場合を例として説明する。
【００３９】
利用者が携帯電話機６を操作してアラーム登録を行った場合（ステップ１２０）、携帯電話機６で、前述の図４に示したようなアラーム登録通知用の電子メールが生成され（ステップ１２１）、無線回線６０および通信網５を介して電話制御装置１宛に送信される（ステップ１２２）。
電話制御装置１の制御部１５は、メール通信手段１５Ｂにより、携帯電話機６からのアラーム登録通知用の電子メールを受信し、アラーム管理手段１５Ｃにより、当該電子メールの内容に基づき新たなアラーム設定のエントリを記憶部１４のアラーム設定情報１４Ｂに登録する（ステップ１２３）。
【００４０】
また、利用者が携帯電話機６を操作してアラーム解除を行った場合（ステップ１３０）、携帯電話機６で、アラーム登録時と同様にしてアラーム解除通知用の電子メールが生成され（ステップ１３１）、電話制御装置１宛に送信される（ステップ１３２）。
電話制御装置１の制御部１５は、メール通信手段１５Ｂにより、携帯電話機６からのアラーム解除通知用の電子メールを受信し、アラーム管理手段１５Ｃにより、当該電子メールの内容に基づき登録済のアラーム設定のエントリを記憶部１４のアラーム設定情報１４Ｂから削除する（ステップ１３３）。
【００４１】
また、電話制御装置１の制御部１５は、アラーム通知手段１５Ｅにより、記憶部１４のアラーム設定情報１４Ｂのエントリについてアラーム日時の到来を監視しており、アラーム日時到来に応じて（ステップ１４０）、記憶部１４の利用者情報１４Ｃを参照して当該エントリの識別情報に対応する電話端末２の内線番号を確認し（ステップ１４１）、その電話端末２に対してアラーム通知指示を行う（ステップ１４２）。これに応じて電話端末２は、例えば前述の図５のアラーム通知画面を一定期間だけ画面表示することにより、利用者に対してアラーム通知を行う（ステップ１４３）。
【００４２】
このアラーム通知に応じて、利用者が電話端末２でアラーム確認操作を行った場合（ステップ１４４）、アラーム確認応答が電話制御装置１へ送信される（ステップ１４５）。これに応じて、電話制御装置１の制御部１５は、アラーム管理手段１５Ｃにより、当該電話端末２で通知中のアラームに関するエントリのアラーム通知状態を「確認」に設定してアラーム停止状態とし（ステップ１４６）、当該電話端末２に対してアラーム停止指示を送信する（ステップ１４７）。これに応じて、電話端末２は通知中のアラームを停止する（ステップ１４８）。
【００４３】
このように、本実施の形態は、通信装置１０において、通信回線５０を介して携帯電話機６から、当該携帯電話機６で登録されたアラームの日時情報を含む電子メールを受信した場合、アラーム管理手段１５Ｃにより、当該電子メールの日時情報に応じたアラーム設定を記憶部１４へ登録し、アラーム通知手段１５Ｅにより、これらアラーム設定の日時到来に応じて所定のアラーム通知を行うようにしたので、携帯電話機６に登録された日時の到来に応じて、携帯電話機に代わって通信装置１０から利用者へアラーム通知を行うことができる。
これにより、利用者が携帯電話機を使用できない場所や状況に居る場合でも、携帯電話機に登録したアラーム設定に応じたアラーム通知を通信装置から受け取ることができる。
【００４４】
また、当該通信装置１０を、複数の電話端末２と、内線伝送路３を介して収容した電話端末２を電話回線４０へ交換接続することにより電話回線４０を用いた電話端末２での通話を制御する電話制御装置１とを有する電話システムで構成し、アラーム管理手段１５Ｃにより、アラーム設定を登録する際、当該電子メールに含まれる識別情報と関連付けてアラーム設定を登録し、アラーム通知の際、アラーム通知手段１５Ｅにより、当該アラーム設定に関連付けられている識別情報に対応する電話端末２でアラーム通知を行うようにしたので、利用者がそれぞれ個別の電話端末を利用する場合でも、利用者の携帯電話機で登録したアラーム設定を対応する電話端末２でアラーム通知できる。
【００４５】
なお、本実施の形態では、通信装置が電話システムからなる場合を例として説明したが、これに限定されるものではなく、パーソナルコンピュータなど、情報処理機能を有する通信装置であれば、前述と同様に本実施の形態を実施できる。例えば、パーソナルコンピュータの場合、インターネットを介して電子メールを送受信する機能、現在日時を計時する機能、表示画面や音声出力によりアラームを通知する機能を標準的に備えており、これら機能をメール通信手段１５Ｂ、計時手段１５Ｄ、アラーム通知手段１５Ｅとして利用できることから、アラーム管理手段１５Ｃをアプリケーションプログラムとして実装することにより、前述と同様に本実施の形態を実施できる。また、パーソナルコンピュータは利用者ごとに個別に利用されるケースが一般的であり、このような場合には識別情報を省くことも可能である。
【００４６】
［第２の実施の形態］
次に、本発明の第２の実施の形態にかかる通信装置について説明する。
第１の実施の形態では、通信装置（電話システム）１０において、携帯電話機６からの電子メールに基づきアラーム設定の登録、解除、確認を行う場合について説明した。本実施の形態では、利用者操作に応じて通信装置１０で行ったアラーム設定の登録、解除、確認を携帯電話機６へ電子メールを用いて通知する場合について説明する。以下では、第１の実施の形態と同様に、通信装置１０が電話システムからなる場合を例として説明する。
【００４７】
本実施の形態にかかる電話システムは、前述した第１の実施の形態と比較して、利用者情報１４Ｃの構成が拡張されている。すなわち、本実施の形態で用いられる利用者情報１４Ｃの各エントリには、前述の図３で示した識別情報および内線番号に、当該利用者の携帯電話機６の電子メールアドレスが追加されている。なお、電話システムのその他の構成については前述の図１と同様であり、ここでの詳細な説明は省略する。
【００４８】
［第２の実施の形態］
次に、図９を参照して、本発明の第２の実施の形態にかかる通信装置の動作について説明する。図９は、本発明の第２の実施の形態にかかる通信装置の動作（アラームの登録、確認）を示すシーケンス図である。
ここでは、通信装置１０が電話システムからなり、電話端末２でのアラーム操作に応じて電話制御装置１でアラーム管理処理を行い、アラーム日時到来に応じて対応する電話端末２でアラーム通知を行うとともに、電子メールにより携帯電話機６へ通知する場合を例として説明する。
【００４９】
利用者が電話端末２を操作してアラーム登録を行った場合（ステップ２００）、所望のアラーム日時情報さらにはスケジュール内容を含むアラーム登録要求が電話端末２から内線伝送路３を介して電話制御装置１へ送信される（ステップ２０１）。
電話制御装置１の制御部１５は、内線Ｉ／Ｆ部１２を介して電話端末２からのアラーム登録要求を受信し、アラーム管理手段１５Ｃで前述した図６と同様のアラーム管理処理を行うことにより、当該アラーム登録要求の内容に基づき新たなアラーム設定のエントリを記憶部１４のアラーム設定情報１４Ｂに登録する（ステップ２０２）。
【００５０】
この際、アラーム管理手段１５Ｃは、記憶部１４の利用者情報１４Ｃを参照して、当該電話端末２の内線番号に対応する識別情報と、当該利用者の携帯電話機６の電子メールアドレスを取得し、得られた識別情報を用いて新たなエントリを登録する。また、得られた電子メールアドレスを用いて、前述の図４と同様に、識別情報、アラーム日時情報、登録コマンド、スケジュール内容を含むアラーム登録通知用の電子メールを生成する（ステップ２０３）。
この後、制御部１５は、メール通信手段１５Ｂにより、アラーム管理手段１５Ｃで生成された電子メールを、回線Ｉ／Ｆ部１１から通信回線５０および通信網５を介して携帯電話機６宛に送信する（ステップ２０４）。
【００５１】
携帯電話機６は、無線回線６０を介して通信網５からアラーム登録通知用の電子メールを受信し、このアラーム登録通知用の電子メールの内容に基づき自己のメモリにアラーム設定を新規に登録する（ステップ２０５）。
これにより、電話端末２からのアラーム登録要求に応じて電話制御装置１に新たなアラーム設定が登録されるとともに、この内容が電子メールで携帯電話機６に通知され、携帯電話機６にもアラーム設定が登録される。なお、ステップ２００〜２０５では、アラーム登録動作について説明したが、アラーム解除動作についてはアラーム設定を削除するという違いはあるもののその他の動作はアラーム登録時と同様であり、ここでの説明は省略する。
【００５２】
また、電話制御装置１の制御部１５は、アラーム通知手段１５Ｅにより、記憶部１４のアラーム設定情報１４Ｂのエントリについてアラーム日時の到来を監視しており、アラーム日時到来に応じて（ステップ２１０）、記憶部１４の利用者情報１４Ｃを参照して当該エントリの識別情報に対応する電話端末２の内線番号を確認し（ステップ２１１）、その電話端末２に対してアラーム通知指示を行う（ステップ２１２）。これに応じて電話端末２は、例えば前述の図５のアラーム通知画面を一定期間だけ画面表示することにより、利用者に対してアラーム通知を行う（ステップ２１３）。
【００５３】
このアラーム通知に応じて、利用者が電話端末２でアラーム確認操作を行った場合（ステップ２１４）、アラーム確認通知が電話制御装置１へ送信される（ステップ２１５）。これに応じて、電話制御装置１の制御部１５は、アラーム管理手段１５Ｃにより、当該電話端末２で通知中のアラームに関するエントリのアラーム通知状態を「確認」に設定してアラーム停止状態とし（ステップ２１６）、当該電話端末２に対してアラーム停止指示を送信する（ステップ２１７）。これに応じて、電話端末２は通知中のアラームを停止する（ステップ２１８）。
【００５４】
また、アラーム管理手段１５Ｃは、記憶部１４の利用者情報１４Ｃを参照して、当該識別情報に対応する携帯電話機６の電子メールアドレスを取得し、得られた電子メールアドレスを用いて、識別情報、アラーム日時情報、停止コマンドを含むアラーム停止通知用の電子メールを生成する（ステップ２１９）。
この後、制御部１５は、メール通信手段１５Ｂにより、アラーム管理手段１５Ｃで生成された電子メールを、回線Ｉ／Ｆ部１１から通信回線５０および通信網５を介して携帯電話機６宛に送信する（ステップ２２０）。
【００５５】
携帯電話機６は、無線回線６０を介して通信網５からアラーム停止通知用の電子メールを受信し、このアラーム停止通知用の電子メールの内容に基づき自己で通知中のアラームを停止する（ステップ２２１）。
前述のように、電話制御装置１と携帯電話機６とで同様のアラーム設定を登録した場合、アラーム日時の到来に応じて対応する電話端末２と携帯電話機６の両方でアラーム通知が行われる。本実施の形態によれば、電話端末２からのアラーム確認応答に応じて電話制御装置１からアラーム停止が指示されるとともに、この内容が電子メールで携帯電話機６に通知され、携帯電話機６でもアラーム停止が行われる。
【００５６】
このように、本実施の形態は、通信装置１０で行われたアラーム操作に応じて、アラーム管理用の電子メールを用いて、通信装置１０から携帯電話機６へ当該アラーム操作の内容を通知するようにしたので、通信装置１０でのアラーム設定内容を携帯電話機６に反映することができる。これにより、通信装置１０と携帯電話機６の両方でアラーム操作を行う必要がなくなり、利用者によるアラーム操作負担を大幅に軽減できる。
【００５７】
［実施の形態の拡張］
以上の各実施の形態では、アラーム設定情報１４Ｂにより、そのアラーム通知の目的となるスケジュール内容を管理する場合を例として説明したが、各実施の形態を適用する際し、スケジュール内容は必須の情報ではない。
また、識別情報としては、各利用者に付与した連番や利用者が任意に設定したキーワードを用いてもよい。また、識別情報として、利用者の携帯電話機６の電子メールアドレスや電話番号、さらには利用者が利用する電話端末２の内線番号を兼用してもよく、利用者情報１４Ｃの情報量を削減できる。
【００５８】
また、第１の実施の形態では、携帯電話機６でのアラーム操作に応じて通信装置１０へアラーム管理用の電子メールが自動的に生成されて送信される場合を例として説明した。この機能については、例えば公知技術に基づき作成したメール送信用のアプリケーションを携帯電話機６に追加することにより実現できる。また、第２の実施の形態では、電話端末２でのアラーム操作に応じて通信装置１０から送信されたアラーム管理用の電子メールに基づいて携帯電話機６でアラーム設定が行われる場合について説明した。この機能については、例えば公知技術に基づき作成されたメール送信用のアプリケーションを携帯電話機６に追加することにより実現できる。
【図面の簡単な説明】
【００５９】
【図１】本発明の第１の実施の形態にかかる通信装置の構成を示すブロック図である。
【図２】アラーム設定情報の構成例である。
【図３】利用者情報の構成例である。
【図４】アラーム管理用メールの構成例である。
【図５】アラーム通知の表示画面例である。
【図６】本発明の第１の実施の形態にかかる通信装置でのアラーム管理処理を示すフローチャートである。
【図７】本発明の第１の実施の形態にかかる通信装置でのアラーム通知処理を示すフローチャートである。
【図８】本発明の第１の実施の形態にかかる通信装置の動作（アラームの登録、解除、通知）を示すシーケンス図である。
【図９】本発明の第２の実施の形態にかかる通信装置の動作（アラームの登録、確認）を示すシーケンス図である。
【符号の説明】
【００６０】
１０…通信装置、１…電話制御装置、１１…回線Ｉ／Ｆ部、１２…内線Ｉ／Ｆ部、１３…スイッチ部、１４…記憶部、１４Ａ…呼制御情報、１４Ｂ…アラーム設定情報、１４Ｃ…利用者情報、１４Ｐ…プログラム、１５…制御部、１５Ａ…呼制御手段、１５Ｂ…メール通信手段、１５Ｃ…アラーム管理手段、１５Ｄ…計時手段、１５Ｅ…アラーム通知手段、２…電話端末、３…内線伝送路、４…電話網、４０…電話回線、５…通信網、５０…通信回線、６…携帯電話機、６０…無線回線。
【図１】
2007180969.tif 000003
【図２】
2007180969.tif 000004
【図３】
2007180969.tif 000005
【図４】
2007180969.tif 000006
【図５】
2007180969.tif 000007
【図６】
2007180969.tif 000008
【図７】
2007180969.tif 000009
【図８】
2007180969.tif 000010
【図９】
2007180969.tif 000011